【事件の表示】
　特願２００７−　６３９５１「ディスクドライブ装置及び電子機器」拒絶査定不服審判事件〔平成２０年　９月２５日出願公開、特開２００８−２２６３６０〕について、次のとおり審決する。
【結　論】
　本件審判の請求は、成り立たない。
【理　由】
　
第１　手続の経緯
　
　本願は、平成１９年３月１３日の出願であって、平成２１年２月６日付けで拒絶理由が通知され、その指定期間内である同年４月８日付けで手続補正がなされたが、同年５月８日付けで拒絶査定がなされ、これに対し、同年８月１０日に拒絶査定不服審判が請求されるとともに、同日付けで手続補正がなされたものである。
　その後、平成２２年１１月３０日付けで前置報告に基づく審尋がなされ、平成２３年１月３１日付けで回答書が提出されたものである。
　
　
第２　平成２１年８月１０日付けの手続補正についての補正却下の決定
　
[補正却下の決定の結論］
　平成２１年８月１０日付けの手続補正を却下する。
　
「理由」
　
１．本件補正
　
　平成２１年８月１０日付けの手続補正（以下「本件補正」という。）は、特許請求の範囲と明細書についてするもので、特許請求の範囲については、本件補正前に、
　
「【請求項１】
　ディスク挿入口から挿入されてローディングされたディスク状記録媒体が装着されるディスクテーブルと、
　シャーシに回動自在に支持されディスク挿入口から挿入されたディスク状記録媒体を保持するディスク保持部を有すると共にディスク挿入口から挿入されるディスク状記録媒体をディスク保持部が待ち受ける待受位置とディスク保持部に保持されたディスク状記録媒体を引き込む引込位置との間で回動されるイジェクトレバーと、
　シャーシに回動自在に支持されディスク挿入口から挿入されたディスク状記録媒体を保持するディスク保持部を有すると共にディスク挿入口から挿入されるディスク状記録媒体をディスク保持部が待ち受ける待受位置とディスク保持部に保持されたディスク状記録媒体を引き込む引込位置との間で回動されるサポートレバーとを備え、
　ディスク状記録媒体を回動されるイジェクトレバーのディスク状記録媒体に対する押圧動作によってイジェクトし、
　イジェクト動作の終了直前はサポートレバーのディスク状記録媒体に対する押圧動作によってイジェクトし、
　イジェクトレバーとサポートレバーが待受位置にある状態において、両者のディスク保持部をディスクテーブルのセンターリング突部よりディスク挿入口側でかつディスク状記録媒体の挿入方向において重ならない位置に位置させるようにした
　ディスクドライブ装置。
【請求項２】
　ディスク状記録媒体に対してレーザー光を照射する光ピックアップをディスク状記録媒体の半径方向へ移動自在に支持するピックアップベースと、
　駆動モーターによって所定の方向へ移動されてピックアップベースを昇降させるスライダーと、
　スライダーに連結され該スライダーの移動に伴って動作されると共に所定の形状に形成された作用孔を有する駆動レバーとを設け、
　イジェクトレバーに駆動レバーの作用孔に挿入された規制ピンを設け、
　イジェクトレバーを回動方向における待受位置側へ付勢する付勢バネを設け、
　ディスク状記録媒体のローディング動作中に駆動モーターによってスライダー及び駆動レバーが移動された状態においてイジェクトレバーが付勢バネの付勢力によって待受位置側へ回動されたときに、イジェクトレバーの規制ピンが駆動レバーの作用孔の開口縁における所定の部分に係合されてスライダーの移動が規制されるようにした
　請求項１に記載のディスクドライブ装置。
【請求項３】
　駆動レバーの作用孔の開口縁に補強リブを設けた
　請求項２に記載のディスクドライブ装置。
【請求項４】
　サポートレバーを回動方向における待受位置側へ付勢する引張コイルバネを設け、
　ディスク状記録媒体を回動されるイジェクトレバーとサポートレバーのディスク状記録媒体に対する押圧動作によってイジェクトし、
　イジェクト動作の終了直前にイジェクトレバーによるディスク状記録媒体に対する押圧を解除し、
　イジェクト時にサポートレバーを引張コイルバネの付勢力によって引込位置から待受位置へ向けて回動させるようにした
　請求項１に記載のディスクドライブ装置。
【請求項５】
　ディスク状記録媒体に対して情報信号の記録若しくは再生又はこれらの双方を行うディスクドライブ装置を備えた電子機器であって、
　ディスク挿入口から挿入されてローディングされたディスク状記録媒体が装着されるディスクテーブルと、
　シャーシに回動自在に支持されディスク挿入口から挿入されたディスク状記録媒体を保持するディスク保持部を有すると共にディスク挿入口から挿入されるディスク状記録媒体をディスク保持部が待ち受ける待受位置とディスク保持部に保持されたディスク状記録媒体を引き込む引込位置との間で回動されるイジェクトレバーと、
　シャーシに回動自在に支持されディスク挿入口から挿入されたディスク状記録媒体を保持するディスク保持部を有すると共にディスク挿入口から挿入されるディスク状記録媒体をディスク保持部が待ち受ける待受位置とディスク保持部に保持されたディスク状記録媒体を引き込む引込位置との間で回動されるサポートレバーとを備え、
　ディスク状記録媒体を回動されるイジェクトレバーのディスク状記録媒体に対する押圧動作によってイジェクトし、
　イジェクト動作の終了直前はサポートレバーのディスク状記録媒体に対する押圧動作によってイジェクトし、
　イジェクトレバーとサポートレバーが待受位置にある状態において、両者のディスク保持部をディスクテーブルよりディスク挿入口側でかつディスク状記録媒体の挿入方向において重ならない位置に位置させるようにした
　電子機器。」
　
　とあったところを、本件補正後、
　
「【請求項１】
　ディスク挿入口から挿入されてローディングされたディスク状記録媒体が装着されるディスクテーブルと、
　
ディスク挿入方向におけるディスク挿入口と反対側の端部寄りの位置を支点として
　
シャーシの側部側の端部寄りの位置を支点として
　ディスク状記録媒体を回動されるイジェクトレバーのディスク状記録媒体に対する押圧動作によってイジェクトし、
　イジェクト動作の終了直前はサポートレバーのディスク状記録媒体に対する押圧動作によってイジェクトし、
　イジェクトレバーとサポートレバーが待受位置にある状態において、両者のディスク保持部をディスクテーブルのセンターリング突部よりディスク挿入口側でかつディスク状記録媒体の挿入方向において重ならない位置に位置させるようにした
　ディスクドライブ装置。
【請求項２】
　サポートレバーを回動方向における待受位置側へ付勢する引張コイルバネを設け、
　ディスク状記録媒体を回動されるイジェクトレバーとサポートレバーのディスク状記録媒体に対する押圧動作によってイジェクトし、
　イジェクト動作の終了直前にイジェクトレバーによるディスク状記録媒体に対する押圧を解除し、
　イジェクト時にサポートレバーを引張コイルバネの付勢力によって引込位置から待受位置へ向けて回動させるようにした
　請求項１に記載のディスクドライブ装置。
【請求項３】
　ディスク状記録媒体に対して情報信号の記録若しくは再生又はこれらの双方を行うディスクドライブ装置を備えた電子機器であって、
　ディスク挿入口から挿入されてローディングされたディスク状記録媒体が装着されるディスクテーブルと、
　
ディスク挿入方向におけるディスク挿入口と反対側の端部寄りの位置を支点として
　
シャーシの側部側の端部寄りの位置を支点として
　ディスク状記録媒体を回動されるイジェクトレバーのディスク状記録媒体に対する押圧動作によってイジェクトし、
　イジェクト動作の終了直前はサポートレバーのディスク状記録媒体に対する押圧動作によってイジェクトし、
　イジェクトレバーとサポートレバーが待受位置にある状態において、両者のディスク保持部をディスクテーブル
のセンターリング突部
　電子機器。」
　
とするものである。
　
　本件補正は、本件補正前の請求項２及び３を削除するものであり、本件補正後の請求項１、２、及び３は、それぞれ本件補正前の請求項１、４、及び５に対応する。
　
　そこで本件補正後の請求項１、２、及び３について検討すると、本件補正は、本件補正前の請求項１及び５における「シャーシに回動自在に支持」されるイジェクトレバー、並びに「シャーシに回動自在に支持」されるサポートレバーについて、それぞれ「
ディスク挿入方向におけるディスク挿入口と反対側の端部寄りの位置を支点として
シャーシの側部側の端部寄りの位置を支点として
のセンターリング突部
　
　そして、本件補正後の請求項１、２、及び３に記載された発明は、本件補正前の請求項１、４、及び５に記載された発明と、産業上の利用分野及び解決しようとする課題が同一であるので、本件補正は、平成１８年法律第５５号改正附則第３条第１項によりなお従前の例によるとされる同法による改正前の特許法第１７条の２第４項第２号に規定する特許請求の範囲の減縮を目的とするものに該当する。
　
　そこで、本件補正後の上記請求項１に記載された発明（以下、「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定する要件を満たすか）否かについて検討する。
　
２．引用例
　
　原査定の拒絶の理由に引用された特開２００５−８５４５０号公報（以下、「引用例」という。）には、図面とともに、次の記載がある。なお、下線は当審で付した。
　
ア）
「【００１９】
　（１−１）筐体の構成
　この
ディスクドライブ装置１は、
ボトムケース４
を有している。
　
「【００２３】
　
ボトムケース４は、
一方の側面部には、この底面部よりも底上げされて外側へと張り出したデッキ部４ａが設けられている。
【００２４】
　ボトムケース４の底面部には、装置本体１ａの各部の駆動制御を行う駆動制御回路が構成された回路基板９が配置されている。この回路基板９は、ボトムケース４の背面側の底面部にネジ止めにより取り付けられている。回路基板９上には、上記駆動制御回路を構成するＩＣチップ等の電子部品１０や、各部の電気的な接続を図るためのコネクタ１１、各部の動作を検出するための検出スイッチＳＷ１，ＳＷ２，ＳＷ３等が配置されている。このうち、上記パーソナルコンピュータ１０００の装置本体１００１との電気的な接続を図る外部コネクタ１２は、図７に示すように、ボトムケース４の背面に形成された開口部１３から外部に臨むように回路基板９上に取り付けられている。
【００２５】
　また、
ボトムケース４の底面部には、シャーシ１４がネジ止めにより取り付けられている。このシャーシ１４は、
ボトムケース４の内部を上記デッキ部４ａと略同等の高さで上下に仕切るように配置されている。
　
イ）
「【００４０】
　
ディスク装着部２７は、ディスク回転駆動機構２８により回転駆動されるターンテーブル２７ａを有し、このターンテーブル２７ａの中心部には、
光ディスク２の中心孔２ａに係合される係合突部３４ａ
を有し、光ディスク２をターンテーブル２７ａ上に保持する。
　
ウ）
「【００４７】
　（１−３）ディスク搬送機構の構成
　装置本体１ａは、図３，図５及び図６に示すように、ディスク挿脱口２１から光ディスク２が挿脱されるディスク挿脱位置と、ディスク装着部２７のターンテーブル２７ａに光ディスク２が装着されるディスク装着位置との間で光ディスク２の搬送を行うディスク搬送機構４０を備えている。
【００４８】
　このディスク搬送機構４０は、ディスク挿脱口２１から筐体３の内部に挿入される光ディスク２よりも下方に位置して、当該光ディスク２と平行な面内で揺動可能とされた第１の回動アーム４１、第２の回動アーム４２及び第３の回動アーム４３とを有している。　
【００４９】
　
第１の回動アーム４１は、
基端部がデッキ部４ａ上に設けられた支軸４４を介して、矢印ａ１方向及び矢印ａ２方向に回動可能に支持されている。また、第１の回動アーム４１の先端部には、ディスク挿脱口２１から挿入された光ディスク２の外周部に背面側から当接される第１の当接ピン４１ａが上方に突出して設けられている。
【００５０】
  また、第１の回動アーム４１の基端側には、支軸４５を介して中間アーム４６が回動可能に取り付けられている。この中間アーム４６は、略Ｊ字状の平板部材からなり、この中間アーム４６の中間部には、第１の引張りコイルバネ４７の一端４７ａが掛止されている。また、第１の引張りコイルバネ４７の他端４７ａは、図６及び図８に示すように、デッキ部４ａの側面に掛止されている。したがって、第１の回動アーム４１は、第１の引張りコイルバネ４７によって前面側に向かって回動する方向、すなわち矢印ａ２方向に中間アーム４６を介して付勢されている。
【００５１】
　
第２の回動アーム４２は、
基端部がシャーシ１４上に設けられた支軸（ネジ）４８を介して、矢印ｂ１方向及び矢印ｂ２方向に回動可能に支持されている。また、第２の回動アーム４２の先端部には、ディスク挿脱口２１から挿入された光ディスク２の外周部に背面側から当接される第２の当接ピン４２ａが上方に突出して設けられている。
　
エ）
「【００６１】
　ディスク搬送機構４０では、
これら第１の回動アーム４１、第２の回動アーム４２
が互いに協働しながら、筐体３のディスク挿脱口２１から挿入された光ディスク２をディスク装着部２７に装着されるディスク装着位置まで引き込むローディング動作と、
光ディスク２をディスク挿脱口２１から筐体３の外部へと排出するイジェクト動作とを行う。
　
オ）
「【０１４３】
　以上のようにして、
第１の回動アーム４１と第２の回動アーム４２
とは、互いに協働しながら、図２０に示すディスク挿脱位置まで光ディスク２を搬送し、ディスク挿脱口２１から筐体３の外部へと光ディスク２を排出する。
【０１４４】
　ここで、図３１に示すように、第２の検出スイッチＳＷ２は、駆動レバー６９の側面部による押圧が解除されることによって、オフ状態となり、第１の検出スイッチＳＷ１は、第２の連結アーム５３の押圧片１２５による押圧が解除されることによって、オフ状態となる。また、第３の検出スイッチＳＷ３は、第２のカム部１２６の第１の水平面部１２６ａ上をスライドする検出子が第１の水平面部１２６ａの背面側の傾斜面に沿って下降することによって、オン状態からオフ状態へと切り替わる。
【０１４５】
　このとき、図２０に示すように、駆動レバー６９が前面側の端部までスライドすることによって、可動板７１の押圧片９０ａが中間アーム４６の被押圧片８９を背面側から押圧する。これにより、
第１の回動アーム４１が最前部まで回動し、光ディスク２を確実にディスク挿脱口２１から中心孔２ａが筐体３の外部に臨む位置まで排出することになる。
　
カ）
　図６には、
光ディスクが挿入されていない待ち受け状態における装置本体の構成を示す平面図が図示
第１の回動アーム４１の当接ピン４１ａと第２の回動アーム４２ｂの当接ピン４２ａが、ターンテーブル２７ａの中心部の係合突部３４ａより光ディスクが挿入される側に位置していることが図示
　
キ）
　図１６ないし図２０には、ディスク挿脱機構の動作を説明するための図が示されており、特に、
光ディスクがディスク挿脱位置まで排出された状態を示す図２０には、第２の回動アームは光ディスクを押圧しておらず、第１の回動アームが光ディスクを押圧することにより光ディスクを排出することが図示
　
　前掲ア）ないしキ）の記載事項及び図面からみて、引用例には、次の発明（以下、「引用発明」という。）が記載されているものと認められる。
　
「ディスクドライブ装置がボトムケースを有しており、
　ボトムケースの一方の側面部には、底面部よりも底上げされて外側へと張り出したデッキ部が設けられ、ボトムケースの底面部には、シャーシが、ボトムケースの内部をデッキ部と略同等の高さで上下に仕切るように配置されており、
　ディスク装着部は、ディスク回転駆動機構により回転駆動されるターンテーブルを有し、このターンテーブルの中心部には、光ディスクの中心孔に係合される係合突部を有し、光ディスクをターンテーブル上に保持するものであり、
　第１の回動アームは、基端部がデッキ部上に設けられた支軸を介して回動可能に支持され、第１の回動アームの先端部には、ディスク挿脱口から挿入された光ディスクの外周部に背面側から当接される第１の当接ピンが上方に突出して設けられており、
　第２の回動アームは、基端部がシャーシ上に設けられた支軸（ネジ）を介して回動可能に支持され、第２の回動アームの先端部には、ディスク挿脱口から挿入された光ディスクの外周部に背面側から当接される第２の当接ピンが上方に突出して設けられており、
　これら第１の回動アーム、第２の回動アームが互いに協働しながら、筐体のディスク挿脱口から挿入された光ディスクをディスク装着部に装着されるディスク装着位置まで引き込むローディング動作と、光ディスクをディスク挿脱口から筐体の外部へと排出するイジェクト動作とを行い、
　ディスク挿脱口からボトムケース及びトップカバーからなる筐体の外部へと光ディスクを排出する際に、第１の回動アームが最前部まで回動し、光ディスクを確実にディスク挿脱口から中心孔が筐体の外部に臨む位置まで排出するものであり、
　光ディスクが挿入されていない待ち受け状態において、第１の回動アームの当接ピンと第２の回動アームの当接ピンが、ターンテーブルの中心部の係合突部より光ディスクが挿入される側に位置し
　光ディスクがディスク挿脱位置まで排出された状態において、第２の回動アームは光ディスクを押圧しておらず、第１の回動アームが光ディスクを押圧することにより光ディスクを排出する
ディスクドライブ装置。」
　　
３．対比
　
　本願補正発明と引用発明とを対比する。
　
（１）引用発明の「ディスクドライブ装置」は、本願補正発明の「ディスクドライブ装置」に相当する。
　
（２）引用発明の「ディスク挿脱口」、「光ディスク」は、それぞれ本願補正発明の「ディスク挿入口」、「ディスク状記録媒体」に相当し、引用発明の「ターンテーブル」は、ディスク挿脱口から挿入された光ディスクがローディング動作によって装着されるものであるから、本願補正発明の「ディスク挿入口から挿入されてローディングされたディスク状記録媒体が装着されるディスクテーブル」に相当する。
　
（３）引用発明の「第２の回動アーム」は、ローディング動作とイジェクト動作を行うものであり、シャーシ上に設けられた支軸（ネジ）を介して回動可能に支持されていることから、前記支軸（ネジ）を支点としてシャーシに回動自在に支持されているといえ、また、図６を参酌すると、前記支軸（ネジ）は、ディスク挿入方向におけるディスク挿脱口と反対側の端部寄りの位置であって第２の回動アームの端部寄りの位置に設けられていることは明らかである。よって、引用発明の「第２の回動アーム」は、本願補正発明の「ディスク挿入方向におけるディスク挿入口と反対側の端部寄りの位置を支点としてシャーシに回動自在に支持され」る「イジェクトレバー」に相当する。
　また、引用発明の「第２の回動アーム」に設けられた「第２の当接ピン」は、ディスク挿脱口から挿入された光ディスクの外周部に背面側から当接することにより当該光ディスクを保持しているといえるから、本願補正発明の「イジェクトレバー」が有する「ディスク挿入口から挿入されたディスク状記録媒体を保持するディスク保持部」に相当する。
　そして、引用発明の「第２の回動アーム」は、図１６ないし図１９を参酌すると、ローディング動作によりディスク挿脱口から挿入された光ディスクを第２の当接ピンが待ち受ける待受位置から第２の当接ピンに保持された光ディスクを引き込む引込位置に回動されるものであることは明らかであるから、本願補正発明の「イジェクトレバー」と引用発明の「第２の回動アーム」とは、「ディスク挿入口から挿入されるディスク状記録媒体をディスク保持部が待ち受ける待受位置とディスク保持部に保持されたディスク状記録媒体を引き込む引込位置との間で回動される」点で共通している。
　
（３）引用発明の「第１の回動アーム」は、第２の回動アームと協働してディスクのローディング動作とイジェクト動作を行うものであり、第２の回動アームの動作をサポートしているといえるから、本願補正発明の「サポートレバー」に相当する。
　また、引用発明の「第１の回動アーム」に設けられた「第１の当接ピン」は、ディスク挿脱口から挿入された光ディスクの外周部に背面側から当接することにより当該光ディスクを保持しているといえるから、本願補正発明の「サポートレバー」が有する「ディスク挿入口から挿入されたディスク状記録媒体を保持するディスク保持部」に相当する。
　そして、引用発明の「第１の回動アーム」は、図１６ないし図１９を参酌すると、ローディング動作によりディスク挿脱口から挿入された光ディスクを第１の当接ピンが待ち受ける待受位置から第１の当接ピンに保持された光ディスクを引き込む引込位置に回動されるものであることは明らかであるから、本願補正発明の「サポートレバー」と引用発明の「第１の回動アーム」とは、「ディスク挿入口から挿入されるディスク状記録媒体をディスク保持部が待ち受ける待受位置とディスク保持部に保持されたディスク状記録媒体を引き込む引込位置との間で回動される」点で共通している。
　
（４）引用発明では、第１の回動アームと第２の回動アームが互いに協働しながら回動して光ディスクのイジェクト動作を行うものであり、第２の回動アームの光ディスクに対する押圧動作によりイジェクトしていることは明らかであるから、本願補正発明と引用発明とは、「ディスク状記録媒体を回動されるイジェクトレバーのディスク状記録媒体に対する押圧動作によってイジェクトし」ている点で共通している。
　
（５）引用発明では、イジェクト動作によりディスク挿脱口から筐体の外部へと光ディスクを排出する際に、第１の回動アームが最前部まで回動し、光ディスクを確実にディスク挿脱口から排出するものであり、光ディスクがディスク挿脱位置まで排出された状態を示す図２０を参酌すると、第１の回動アームが最前部まで回動している時点はイジェクト動作の終了直前であるといえ、この時点において、第２の回動アームは光ディスクを押圧しておらず、第１の回動アームのみが光ディスクを押圧していることは同図より明らかであるから、本願補正発明も引用発明も「イジェクト動作の終了直前はサポートレバーのディスク状記録媒体に対する押圧動作によってイジェクトし」ている点で共通している。
　
（６）引用発明の「光ディスクの中心孔に係合される係合突部」は、本願補正発明の「ディスクテーブルのセンターリング突部」に相当し、待ち受け状態における装置本体の構成を示す図６を参酌すると、第１の回動アームと第２の回動アームが待受位置にある状態において、両者の当接ピンがターンテーブルの中心部の係合突部よりディスク挿脱口側に位置していることは明らかであるから、本願補正発明と引用発明とは、「イジェクトレバーとサポートレバーが待受位置にある状態において、両者のディスク保持部をディスクテーブルのセンターリング突部よりディスク挿入口側に位置させるようにした」点で共通している。
　
　以上のことからすると、本願補正発明と引用発明とは、次の点で一致する。
　
＜一致点＞
「ディスク挿入口から挿入されてローディングされたディスク状記録媒体が装着されるディスクテーブルと、
　ディスク挿入方向におけるディスク挿入口と反対側の端部寄りの位置を支点としてシャーシに回動自在に支持されディスク挿入口から挿入されたディスク状記録媒体を保持するディスク保持部を有すると共にディスク挿入口から挿入されるディスク状記録媒体をディスク保持部が待ち受ける待受位置とディスク保持部に保持されたディスク状記録媒体を引き込む引込位置との間で回動されるイジェクトレバーと、
　ディスク挿入口から挿入されたディスク状記録媒体を保持するディスク保持部を有すると共にディスク挿入口から挿入されるディスク状記録媒体をディスク保持部が待ち受ける待受位置とディスク保持部に保持されたディスク状記録媒体を引き込む引込位置との間で回動されるサポートレバーとを備え、
　ディスク状記録媒体を回動されるイジェクトレバーのディスク状記録媒体に対する押圧動作によってイジェクトし、
　イジェクト動作の終了直前はサポートレバーのディスク状記録媒体に対する押圧動作によってイジェクトし、
　イジェクトレバーとサポートレバーが待受位置にある状態において、両者のディスク保持部をディスクテーブルのセンターリング突部よりディスク挿入口側に位置させるようにした
　ディスクドライブ装置。」
　
　そして、次の点で相違する。
　
＜相違点１＞
　サポートレバーに関して、本願補正発明では、「シャーシの側部側の端部寄りの位置を支点としてシャーシに回動自在に支持され」ているのに対して、引用発明では、基端部がデッキ部上に設けられた支軸を介して回動自在に支持されている点。
　
＜相違点２＞
　待受状態におけるイジェクトレバーとサポートレバーのディスク保持部の位置に関して、本願補正発明では、「両者のディスク保持部をディスク状記録媒体の挿入方向において重ならない位置」に位置させているのに対して、引用発明では、そのような重ならない位置に位置させるとは特定していない点。
　
４．当審の判断
　
　上記相違点について検討する。
　
＜相違点１について＞
　引用発明の第１の回動アームは、基端部がデッキ部上に設けられた支軸を支点として回動自在に支持されているものであり、図６を参酌すると、第１の回動アームは、ディスクドライブ装置の側部側であって回動アームの端部寄りの位置である支軸を支点としており、支軸を支点として回動することによりシャーシに対しても回動自在となっていることは明らかである。
　してみると、本願補正発明と引用発明とは、サポートアームがディスクドライブ装置内の側部付近であってサポートアームの側部側の端部を支点としてシャーシに対して回動自在に支持されている点で共通するものである。
　このようなサポートディスクの配置において、上記相違点１は、サポートアームの支点が取り付けられるディスクドライブの側部付近が、底面が底上げされたデッキ部で構成されているか、底面に配置されたシャーシで構成されているかに起因する差異にすぎず、デッキ部がシャーシと略同等の高さとされていることからしても、両者の間に役割において特段相違があるとすべき根拠も見出せないから、かかる側部付近をデッキ部ではなくシャーシとすることは、単なるディスクドライブ装置における構成上の設計事項であると認められる。
　したがって、サポートレバーの支点となる支軸をデッキ部ではなくシャーシに取り付け「シャーシの側部側の端部寄りの位置を支点としてシャーシに回動自在に支持され」るとすることは、当業者がディスクドライブ装置における構成上の設計事項として適宜為しうる事項にすぎない。
　
＜相違点２について＞
　引用発明も、イジェクト動作の終了直前は、第２の回動アームではなく第１の回動アームのみの押圧動作によって光ディスクをイジェクトしている点で本願補正発明と共通するものであり、かかるイジェクト動作の終了直前を示す図２０を参酌すると、第１の回動アームの当接ピンが第２の回動アームの当接ピンよりディスク挿脱口側にあり、両者の当接ピンが光ディスクの挿入方向において重ならない位置にあることは明らかである。
　してみると、図６に示されるような、第１の回動アームと第２の回動アームが待受位置にある状態においても、イジェクト動作の終了直前と同じく、第１の回動アームの当接ピンを第２の回動アームの当接ピンよりディスク挿脱口側に位置させること、すなわち、「両者の保持部をディスク状記録媒体の挿入方向において重ならない位置」に位置させることは、当業者であれば当然為しうる事項である。
　
　なお、出願人は、平成２２年１１月３０日付けの審尋に対する回答書において、引用発明には、本願補正発明の特徴である「それぞれのレバーの支点をディスク挿入方向において異なる位置に配置することで、一方のレバーによりディスクの排出開始時の駆動において有利なレバーと、排出完了直前において有利なレバーにより、付勢力が小さくてもディスクの搬送を行えるようにしたこと」までは示されていない点で相違する旨の主張をしている。
　
　しかしながら、本願補正発明には、それぞれのレバーの支点の位置について、イジェクトレバーが「ディスク挿入方向におけるディスク挿入口と反対側の端部寄りの位置を支点」とし、サポートレバーが「シャーシの側部側の端部寄りの位置を支点」とすることは記載されているものの、かかる記載は、それぞれのレバーの支点の位置が異なることを示すものの「ディスク挿入方向において異なる位置に配置すること」を示すものではないので、出願人の前記主張は採用できない。
　さらに、出願人が主張する「一方のレバーによりディスクの排出開始時の駆動において有利なレバーと、排出完了直前において有利なレバーにより、付勢力が小さくてもディスクの搬送を行える」との作用効果についても、かかる作用効果は、それぞれのレバーの支点の位置のみではなく、レバーの長さや形状、レバーを付勢するためのバネやレバーと協働して動作するその他の部材等との配置関係や形状に影響されて奏されるものであり、単に、それぞれのレバーの支点の位置を「ディスク挿入方向において異なる位置に配置すること」によって奏される作用効果ではないから、かかる作用効果についても、出願人の前記主張を採用することはできない。
　
　そして、上記相違点を総合的に判断しても、本願補正発明の効果は、引用発明から当業者が十分に予測できたものであって、格別顕著なものがあるとはいえない。
　
　したがって、本願補正発明は、引用発明に基づいて当業者が容易に発明をすることができたものであるから、特許法第２９条第２項の規定により特許出願の際独立して特許を受けることができない。
　
５．本件補正についてのむすび
　
　以上のとおりであるから、本件補正は、平成１８年法律第５５号改正附則第３条第１項によりなお従前の例によるとされる同法による改正前の特許法第１７条の２第５項で準用する同法第１２６条５項の規定に違反するので、同法第１５９条第１項において読み替えて準用する同法第５３条第１項の規定により却下すべきものである。　
　
　なお、出願人は、平成２２年１１月３０日付けの審尋に対する回答書において、本願の請求項２に係る発明に限定するための補正の機会を求めているが、改めて補正の機会を付与する法的根拠は見出せない。
　また仮に、本願の請求項２に係る発明に限定したとしても、引用例１の【００５０】には「第１の回動アーム４１は、第１の引張りコイルバネ４７によって前面側に向かって回動する方向、すなわち矢印ａ２方向に中間アーム４６を介して付勢されている」と記載されており、引用例１の前記「第１の引張りコイルバネ４７」は、実質的に、本願の請求項２に記載の「サポートレバーを回動方向における待受位置側へ付勢する引張コイルバネ」に相当するものと認められ、請求項２に記載の技術事項が格別のものであるとは認められない。
　
　
第３　本願発明について
　
１．本願発明
　
　平成２１年８月１０日付けの手続補正は上記のとおり却下されたので、本願の請求項１ないし５に係る発明のうち、請求項１に係る発明（以下、「本願発明」という。）は、平成２１年４月８日付け手続補正により補正された特許請求の範囲の請求項１に記載された事項により特定される、次のとおりのものである。
　
「【請求項１】
　ディスク挿入口から挿入されてローディングされたディスク状記録媒体が装着されるディスクテーブルと、
　シャーシに回動自在に支持されディスク挿入口から挿入されたディスク状記録媒体を保持するディスク保持部を有すると共にディスク挿入口から挿入されるディスク状記録媒体をディスク保持部が待ち受ける待受位置とディスク保持部に保持されたディスク状記録媒体を引き込む引込位置との間で回動されるイジェクトレバーと、
　シャーシに回動自在に支持されディスク挿入口から挿入されたディスク状記録媒体を保持するディスク保持部を有すると共にディスク挿入口から挿入されるディスク状記録媒体をディスク保持部が待ち受ける待受位置とディスク保持部に保持されたディスク状記録媒体を引き込む引込位置との間で回動されるサポートレバーとを備え、
　ディスク状記録媒体を回動されるイジェクトレバーのディスク状記録媒体に対する押圧動作によってイジェクトし、
　イジェクト動作の終了直前はサポートレバーのディスク状記録媒体に対する押圧動作によってイジェクトし、
　イジェクトレバーとサポートレバーが待受位置にある状態において、両者のディスク保持部をディスクテーブルのセンターリング突部よりディスク挿入口側でかつディスク状記録媒体の挿入方向において重ならない位置に位置させるようにした
　ディスクドライブ装置。」
　
２．引用例
　
　原査定の拒絶の理由に引用された引用例、及びその記載事項は、前掲「第２　［理由］２．」に記載したとおりである。
　
３．対比・判断
　
　本願発明は、前掲「第２　［理由］１．」で検討した本願補正発明において、イジェクトレバーの支持に関して「ディスク挿入方向におけるディスク挿入口と反対側の端部寄りの位置を支点として」との限定を削除し、サポートレバーの支持に関して「シャーシの側部側の端部寄りの位置を支点として」との限定を削除するものに相当する。
　
　そうすると、本願発明の発明特定事項をすべて含み、さらに他の限定事項を付加したものに相当する本願補正発明が、前掲「第２　「理由」３．４．」に記載したとおり、引用発明に基づいて当業者が容易に発明をすることができたものであるから、本願発明も同様の理由により、引用発明に基づいて当業者が容易に発明をすることができたものである。
　
４．むすび
　
　以上のとおり、本願の請求項１に係る発明は、引用発明に基づいて当業者が容易に発明をすることができたものであるから、特許法第２９条第２項の規定により特許を受けることができない。 
　したがって、本願は、その余の請求項について検討するまでもなく、拒絶すべきものである。
　
　よって、結論のとおり審決する。